(57)【要約】【課題】構造物等の緑化のための緑化植物植栽基盤での緑化植物の栽培を簡易とするための植栽基盤及び該植栽基盤を用いた緑化方法を提案する。【解決手段】緑化対象面を緑化するために配設する緑化植物植栽基盤Ｆを、該植栽基盤Ｆの外形を形成するシート材（シート１１）又はマット材（マット２１）と、これに一体的に形成した複数のセル１２（２２）で構成した。植栽基盤Ｆの大きさ、植栽基盤Ｆに形成するセル１２の配列、植栽基盤Ｆに形成するセル１２の大きさを、標準規格のセル成型育苗トレイに準じたものとした。そして、この植栽基盤Ｆに対して、播種機を用いて緑化植物Ｐを播種し、適当な大きさに生長するまで栽培したのち、該植栽基盤Ｆを緑化対象面に配設した。【選択図】      図９
2004350536.tif 000002
【特許請求の範囲】
【請求項１】
緑化対象面に配設することによって緑化するための緑化植物植栽基盤であって、
該植栽基盤を、セル成型育苗トレイに合わせた大きさの外枠と、セル成型育苗トレイと同配列の緑化植物を植栽するためのセルとを、一体的に形成して構成したことを特徴とする植栽基盤。
【請求項２】
緑化対象面に配設することによって緑化するための緑化植物植栽基盤であって、
該植栽基盤を、セル成型育苗トレイに合わせた大きさのマット状に構成し、該植栽基盤にセル成型育苗トレイのセル位置に合わせた凹部を構成したことを特徴とする植栽基盤。
【請求項３】
前記植栽基盤を、緑化対象面に固定された取付部材と、該取付部材と締結可能な固定部材との間に介挿して緑化対象面に固定可能とした、請求項１又は請求項２に記載の植栽基盤。
【請求項４】
緑化植物植栽基盤を緑化対象面に配設することによって緑化対象面を緑化する緑化方法であって、
前記植栽基盤に播種機を用いて緑化植物の種子を播種し、緑化植物が適当な大きさに生長するまで栽培したのち緑化対象面の存在する現場まで搬送し、緑化対象面に植栽基盤を配設したことを特徴とする、請求項１乃至請求項３のいずれかに記載の植栽基盤を用いた緑化方法。
【発明の詳細な説明】
【０００１】
【発明の属する技術分野】
本発明は、建築物や道路の防音壁等の立体型構造物の壁面や屋根等を緑化するための技術に関する。
【０００２】
【従来の技術】
近年、都市建築物の外壁・屋上・屋根等を緑化し、その美観の向上を図るとともに、これらの緑化対象面への日光の直射を低減させて温度上昇を抑制することによって、省エネルギー化の促進や、ヒートアイランド現象の抑制が図られている。さらに、屋上・ベランダ・バルコニー等は、庭を持つことが難しくなった昨今では、ガーデニングの場として緑化されているものを散見することができる。
このような建築物の緑化に際して、栽培用土壌に植物を植栽したパネル材を、屋上や屋根等に敷設する緑化方法や、外壁にネットや金網等から成る支柱を備え付けて蔓状植物を該支柱に這わせた状態に植栽する緑化方法が採用されている。
【０００３】
また、道路においては、従来の擁壁だけでなく、都市内の高速道路等に設けられている防音壁においても、その壁面に植物を植栽して緑化を図ることによって、美観の向上とともに、植物の作用による二酸化炭素・窒素酸化物・硫黄酸化物等の固定浄化の促進が図られている。
【０００４】
このような建築物や防音壁等の構造物の、壁面・屋根・屋上等の緑化される面を『緑化対象面』とし、また、この緑化対象面の緑化のために植栽される植物を『緑化植物』とする。
【０００５】
前記緑化対象面に植栽される緑化植物の種類を、蔓状植物に限定されることなく自由に選択することができるようにするためには、急な勾配を有する壁面において、いかに植物を植栽し、また、支持させることができるかが、課題となる。
また、緑化対象面に植栽される緑化植物の定着や、育成及び繁殖は、自然の成り行きに任せることになるが、緑化対象面の勾配による採光等の環境の違いにより、勾配の上下方向で植物の生育にばらつきが生じることがある。
【０００６】
そこで、例えば、特許文献１では、培地となる栽培用ブロックに緑化植物の苗を植栽して緑化対象面を緑化する緑化方法が提案されている。
また、特許文献２に記載の技術では、多孔質性材料を用いて保水性を有するように構成された板状材に、予め緑化植物を植栽しある程度まで生育させたものを、緑化対象面に取り付ける緑化方法が提案されている。
さらに、特許文献３に記載の技術では、予め緑化植物を植栽しある程度まで生育させた板状材と、該板状材のためのケースとで構成される壁面緑化ユニットを壁面に対して並べて取り付ける緑化方法が提案されている。
前記特許文献２や特許文献３に示すような、予め緑化植物を植栽しある程度まで生育させた板状材を緑化対象面に取り付ける緑化方法においては、緑化対象面を緑化した時点で既に植物が生育しているため早期に良好な美観を得ることができ、さらに、部分的な生育不良が生じた場合には、簡易にその部分を取り替えてメンテナンスを行うことができるという利点がある。
【０００７】
【特許文献１】
特開２００３−８８２３９号公報
【特許文献２】
特開２００２−３０５９６２号公報
【特許文献３】
特開２００２−３３５７６５号公報
【０００８】
【発明が解決しようとする課題】
上述の従来文献において示されている緑化植物を植栽する板状材は、植物を生育させることができるように、保水性、排水性等の機能が備えられるとともに、勾配を有する壁面に張設しても落下等することのないように、植物の保持する機能が備えられている。この板状材に、緑化植物の苗を植え付け、適当な大きさに生長するまで平地にて栽培したうえで、緑化対象面に配設することになる。
前記板状材に植え付ける緑化植物はセル苗やポット苗、鉢物苗等の状態であり、その苗をパネル材に移植させるためには、手間が掛かるという不具合があった。
【０００９】
【課題を解決するための手段】
本発明の解決しようとする課題は以上の如くであり、次にこの課題を解決するための手段を説明する。
【００１０】
即ち、請求項１においては、緑化対象面に配設することによって緑化するための緑化植物植栽基盤であって、該植栽基盤を、セル成型育苗トレイに合わせた大きさの外枠と、セル成型育苗トレイと同配列の緑化植物を植栽するためのセルとを、一体的に形成して構成したものである。
【００１１】
請求項２においては、緑化対象面に配設することによって緑化するための緑化植物植栽基盤であって、該植栽基盤を、セル成型育苗トレイに合わせた大きさのマット状に構成し、該植栽基盤にセル成型育苗トレイのセル位置に合わせた凹部を構成したものである。
【００１２】
請求項３においては、前記植栽基盤を、緑化対象面に固定された取付部材と、該取付部材と締結可能な固定部材との間に介挿して緑化対象面に固定可能としたものである。
【００１３】
請求項４においては、緑化植物植栽基盤を緑化対象面に配設することによって緑化対象面を緑化する緑化方法であって、前記植栽基盤に播種機を用いて緑化植物の種子を播種し、緑化植物が適当な大きさに生長するまで栽培したのち緑化対象面の存在する現場まで搬送し、緑化対象面に植栽基盤を配設したものである。
【００１４】
【発明の実施の形態】
次に、発明の実施の形態を説明する。
図１は植栽基盤としての植栽シートの側面図、図２は植栽基盤としての植栽シートの平面図、図３は植栽基盤としての植栽シートの一部を示す下方斜視図である。図４は育苗箱に嵌入した植栽シートを示す側面図、図５は播種機での播種の様子を示す図である。
図６は屋上に敷設した植栽基盤の様子を示す図、図７はプランタに移植した植栽基盤の様子を示す図、図８は壁面に張設した植栽基盤の様子を示す正面図、図９は壁面に張設した植栽基盤の様子を示す側面図である。
図１０は植栽基盤としての植栽マットの側面図、図１１は植栽基盤としての植栽マットの一部を示す上方斜視図、図１２は壁面に張設した植栽基盤の様子を示す正面図、図１３は壁面に張設した植栽基盤の様子を示す平面図である。
【００１５】
本発明は、緑化植物Ｐを植栽した、或いは、緑化植物Ｐを植栽するための板状材である緑化植物植栽基盤（以後『植栽基盤Ｆ』とする）を、緑化対象面に配設し、緑化の対象である構造物を緑化する、緑化方法及びこの緑化方法に用いる緑化植物植栽基盤に関するものである。
【００１６】
前記植栽基盤Ｆとして、緑化植物Ｐの種子を発芽させ生長させるためのシート材（植栽シート１０）或いはマット材（植栽マット２０）を利用する。この植栽基盤Ｆは、従来、稲・野菜・果樹等のセル成型苗を生育するために利用されるセル成型育苗トレイの標準規格に準じた形状のものである。これにより、既存の播種機や移植機等の農業機械や農業設備等を利用した、植栽基盤Ｆにおける緑化植物の栽培を可能としている。
【００１７】
緑化植物Ｐの種子が植え付けられて、該緑化植物Ｐが適度な大きさとなるまで養生された植栽基盤Ｆは、構造物の屋根や屋上や壁面等の緑化対象面の存在する構造物まで搬送され、緑化対象面に配設される。
【００１８】
ここで、前記緑化方法において、植栽基盤Ｆとして植栽シート１０を採用した第一実施例と、植栽基盤Ｆとして植栽パネル２０（植栽マット２０）を採用した第二実施例とについて説明する。
【００１９】
［第一実施例］
図１乃至図３に示す如く、第一実施例では、緑化植物Ｐを植栽する植栽基盤Ｆとして植栽シート１０を利用する。植栽シート１０は、野菜や果樹等の「セル成型苗」を生育するために利用されるセル成型育苗トレイの標準規格に準じた形状としている。
【００２０】
近年では、セル成型育苗トレイは、野菜の規格化した苗を作り、全自動移植機による能率的な移植作業を行うために、セル成型育苗トレイが農林水産省により標準規格化され、この標準規格に応じたセル成型育苗トレイが製造されている。セル成型育苗トレイは同形状のセルを集合して配置したトレイである。
標準規格により定められたセル成型育苗トレイは、育苗する野菜の種類や機械移植に対応するセルの形状や容積を備え、外形の大きさは、育苗面積や運搬を考慮したものになっている。下記、［表１］にセル成型育苗トレイの標準規格を示す。
【００２１】
【表１】
2004350536.tif 000003
【００２２】
上記の如く、外形が約３０ｃｍ×約６０ｃｍであって、一枚のセル成型育苗トレイに形成されるセル数を違えて、三種のセル成型育苗トレイが標準規格化されている。
なお、セル成型育苗トレイは、標準規格以外にも、育苗する植物の種類に応じたものが考案され、販売されているが、いずれもその短尺方向長さは約３０ｃｍとされ、播種機や全自動移植機等の農業機械において使用することができるものとしている。
【００２３】
前記植栽シート１０は、セル成型育苗トレイの外形に相当する大きさのシート１１に、該シート１１より下方へ突出するように規則的に配置された複数のセル１２・１２・・・を、一体的に形成したものである。
シート１１の大きさは、標準規格のセル成型育苗トレイの外枠の大きさに準じたものとし、例えば、（長尺方向Ｌ＝約６０ｃｍ）×（短尺方向Ｗ＝約３０ｃｍ）の矩形状としている。また、植栽シート１０に形成するセル１２・１２・・・の配列は、標準規格のセル成型育苗トレイのセルの配列に準じたものとし、例えば、８列×１０行、１０列×２０行、１２列×２４行のいずれかとしている。また、植栽シート１０に形成するセル１２・１２・・・の大きさは、標準規格のセル成型育苗トレイのセルの大きさや形状に準じたものとしている。なお、セル成型育苗トレイのセルは凹状に窪みを有し全体が略同じ厚みに構成しているが、本実施例の植栽シート１０のセル１２は中実であり、用土等を入れる必要はない構成としている。
但し、植栽シート１０に形成するセル１２・１２・・・の大きさは、標準規格のセル成型育苗トレイに限定するものではなく、該植栽シート１０に植栽される緑化植物Ｐに応じて多少の変更を加えることができる。
【００２４】
植栽シート１０は不織布より成り、その形状を保持することができる程度であって、且つ、植栽シート１０において生育する緑化植物Ｐの根の生長を妨げることのない程度に、繊維の絡み合いによって固めたものである。但し、植栽シート１０の補強のために、シート１１の周縁部を固化剤により固めたり、シート１１に金網等の補強材を組み込んだりすることができる。
【００２５】
このように、植栽シート１０を一つの単位として取り扱うことができるようにしている。
そして、植栽シート１０は、土壌ではなく不織布で構成されているため、土壌を利用する時と比較して、軽く、その取り扱いが容易であるとともに、勾配を有する緑化対象面に配設する際にも、該緑化対象面に与える荷重を少なくすることができる。
【００２６】
また、植栽シート１０は可燃性の繊維から成ることが好ましい。これは、植栽シート１０に植栽した緑化植物Ｐが枯れたときに、植栽シート１０ごと消却することができるようにするためである。さらに、植栽シート１０は生分解性の繊維から成ることが好ましい。これは、植栽シート１０に植栽した緑化植物Ｐが枯れたときに、土壌に帰すことができるようにするためである。
なお、植栽シート１０を構成する材料は、不織布に限定されず、植栽シート１０の形状を保持することができ、植物を植栽することの可能な材料であればよい。例えば、木の繊維を絡み合わせたものや、固めたもの等を採用することができる。また、植栽シート１０は後述するように一辺を緑化対象面１９に吊り下げる場合があるので、緑化植物Ｐが成長したときに自重で引きちぎられない材質で構成する。
【００２７】
そして、植栽シート１０に形成した各セル１２に、緑化植物Ｐの生長に必要な養分等が備えられた培養土層１３と、緑化植物Ｐの生長に必要な水分を保持するための水分保持層１４とを、植栽シート１０より溶出することのないように保持している。この水分保持層１４によって、水やり作業において与えた水分が保持される。植栽シート１０において、緑化植物Ｐの根は、培養土層１３や水分保持層１４の存在する部分において、不織布の絡み合った繊維の間を縫って生長することになる。
なお、培養土層１３と、水分保持層１４とは、層状に構成することもできるが、これらを混合させた層を構成して各セル１２に備えることもできる。
【００２８】
上述の如く構成した植栽基盤Ｆとしての植栽シート１０への、緑化植物Ｐの種子の植え付けは、野菜や果物等の種子をセル成型育苗トレイに播種するために使用される、既存の播種機３０を用いて行う。図４に示す如く、播種機３０は、コンベア３１を備えた台３２に搭載され、コンベア３１によって連続的に搬送される植栽基盤Ｆに対して、播種を行う。
植栽基盤Ｆとしての植栽シート１０は、播種機３０に使用することのできるセル成型育苗トレイの形状と類似し、播種機３０によって播種できる形状であるため、既存の播種機３０を用いて播種を行うことができる。播種機３０では、セル成型育苗トレイに形成されたセルの数に合わせた播種作業をすることができ、植栽シート１０においても、該植栽シート１０に形成されたセル１２・１２・・・の位置や数に応じた播種作業を行うように操作する。
但し、播種機３０の形態は本実施例に限定されるものではなく、播種機３０として、播種機や施肥機、施水機、土壌装填機等を連続的に配置した装置や、枠等より成る手動式の播種器を用いることができる。
【００２９】
上述の如く、播種機３０を用いて植栽シート１０に緑化植物Ｐの種子を播種することができるため、複数の植栽シート１０に対して連続して素早く種子を植えることができ、作業効率が高まり、特に、量産する場合に都合が良い。
なお、播種と同時に、前記培養土層１３及び水分保持層１４をセル１２に装填するようにしたり、水や液体肥料等を施すようにしたりすることができる。
【００３０】
続いて、前述の如く播種機３０にて種子の植え付けを行った植栽シート１０を、図５に示す如く、育苗箱３５にて、適した大きさに成長するまで養生する。この場合も、植栽シート１０を、稲等の育苗に利用されるセル成型育苗トレイと略同形状としているため、セル成型育苗トレイに対応した既存の育苗箱３５を利用して、植栽シート１０に植えられた緑化植物Ｐを栽培することができる。
また、育苗箱３５を利用するのみならず、セル成型育苗トレイに対応した既存の育苗施設等を利用することができ、既存の設備や機器を利用して、効果的に緑化植物Ｐの栽培を行うことができる。
このように、セル成型育苗トレイに対応した形状の植栽シート１０の利用により、緑化植物Ｐの栽培のシステム化を図ることが容易となる。
【００３１】
そして、植栽シート１０のセル１２・１２・・・にて、緑化植物Ｐを「セル苗式」で栽培するため、植栽シート１０で生長する緑化植物Ｐの株間を均一にしやすい環境となる。よって、「セル苗式」で栽培した緑化植物Ｐは、品質が揃い易く、構造物の緑化に供される植栽基盤Ｆに植栽された緑化植物Ｐを、より美観に優れたものとすることができる。
また、「セル苗式」にて栽培することは、緑化植物Ｐの苗が、病気にかかりやすく、害虫にも弱い時期に、これらを防ぐ薬を一斉に施薬することができるため、都合が良い。
【００３２】
上述の如く、植栽基盤Ｆとしての植栽シート１０に植え付けられた緑化植物Ｐの種子が、適度な大きさとなるまで生長すれば、緑化の対象物となる構造物まで植栽基盤Ｆを搬送し、構造物の壁面や屋上、屋根等の緑化対象面の緑化のために供する。
【００３３】
例えば、図６に示す如く、植栽基盤Ｆとしての植栽シート１０を複数の連結し、構造物の屋上の所定範囲に敷設することによって、緑化を行うことができる。
また、図７に示す如く、植栽シート１０をプランタ２９の大きさに合わせて適当に切断し、プランタ２９に移植して、ベランダや屋上等の緑化に供することもできる。このとき、植栽シート１０を生分解性繊維より成るもので構成すれば、プランタ２９に充填した土２８と混合させることができ、都合が良い。
【００３４】
そして、図８及び図９に示す如く、構造物の壁面等の勾配を有する緑化対象面１９に植栽シート１０の一辺を取り付けることのできるブラケット１５を固設し、植栽基盤Ｆとしての植栽シート１０を構造物の外壁等の勾配を有する緑化対象面１９に張設して緑化を図ることができる。
【００３５】
前記ブラケット１５は、緑化対象面１９に固設した取付部材となるステー１６と、該ステー１６に対してボルト等の止具１８・１８によって固定することのできる固定部材となる押圧プレート１７とで成る。前記ステー１６と、押圧プレート１７との間に、植栽シート１０のシート１１部分の一辺を介挿し、押圧プレート１７にて植栽シート１０をステー１６側に押圧した状態に、止具１８・１８で固定する。すなわち、ステー１６と押圧プレート１７にて植栽シート１０を挟持して、緑化対象面１９に植栽基盤Ｆを張設した状態に取り付ける。
【００３６】
なお、ステー１６や押圧プレート１７に植栽シート１０を係止可能な突起を形成し、より植栽シート１０を強固に固定することもできる。
また、緑化対象面１９に固設したステー１６にはフックを突設し、押圧プレート１７自体で植栽シート１０の一辺を固定し、押圧プレート１７に前記フックに係止するための係止孔または係止具を設けることで容易に着脱できるように構成することもできる。また、植栽シート１０側の一辺にフックを設ける構成としてもよい。
【００３７】
上述の如く植栽基盤Ｆを張設することで緑化対象面１９を緑化することができ、従来のように緑化対象面１９に固設した枠体に植栽基盤を保持させる構成のものと比較して、壁面緑化の導入コストを大幅に削減させることができる。
【００３８】
また、ブラケット１５によって植栽シート１０を挟持するだけの簡易な設置方法であるため、容易に植栽シート１０の交換を行うことができる。従って、緑化対象面１９を緑化している一部範囲の緑化植物Ｐが何らかの原因によって枯れた等の不具合が生じた際には、その不具合のある植栽シート１０のみを交換することができ、また、長期のうちに日照条件等による生育のばらつきが生じた際には、植栽シート１０の配置を交換することによって、調整することができる。
さらに、植栽シート１０を交換することによって緑化植物Ｐの種類を変更することが可能であり、例えば、季節毎に植栽シート１０を交換して緑化植物Ｐを楽しむことができる。
このように、本実施例に係る緑化方法では、緑化のための導入コストを安価とすることができ、そして、緑化植物Ｐの維持管理に要する労力や経費を低減することができる。
【００３９】
そして、上述の如く植栽シート１０を利用した緑化方法は、大がかりな設備や機器等を必要とすることがなく、導入コストが抑えられており、設置方法や手入れ等が簡易であるため、専門の業者のみならず、一般家庭で園芸の一環として実施することができる。
さらに、本実施例に係る植栽シート１０を用いた緑化方法では、植栽基盤としての植栽シート１０は、その大きさがほぼ統一されることとなり、ブラケット１５もその大きさや規格がほぼ統一されることになる。これにより構造物の緑化のために必要となる部材を汎用化せることができ、工業的に量産すれば、大幅なコストダウンが期待できる。
【００４０】
［第二実施例］
第二実施例では、図１０及び図１１に示す如く、緑化植物Ｐを植栽する植栽基盤Ｆとして植栽マット２０を利用する。該植栽マット２０は、その組成等に関しては、前記第一実施例に記載の植栽基盤Ｆとしての植栽シート１０とほぼ同様であり、その形状がマット状であるところが前記植栽シート１０と異なる点である。
【００４１】
前記植栽基盤Ｆとしての植栽マット２０は、野菜や果樹等の「セル成型苗」を生育するために利用されるセル成型育苗トレイの標準規格に準じた形状としている
植栽マット２０は、セル成型育苗トレイの外形に相当する大きさのマット２１に、規則的に配置された凹状に構成した複数のセル２２・２２・・・が、一体的に穿設されたものである。各セル２２には、緑化植物Ｐの生長に必要な養分等が備えられた培養土層２５と、緑化植物Ｐの生長に必要な水分を保持するための水分保持層２４とを、溶出したり抜け出したりすることのないように保持している。
【００４２】
植栽マット２０を構成するマット２１の大きさは、標準規格のセル成型育苗トレイの外枠の大きさに準じたものとし、例えば、（約３０ｃｍ）×（約６０ｃｍ）×（セル配列に合わせた高さ）としている。また、植栽マット２０に形成するセル２２・２２・・・の配列は、標準規格のセル成型育苗トレイのセルの配列に準じたものとし、例えば、８列×１０行、１０列×２０行、１２列×２４行のいずれかとしている。また、植栽マット２０に形成するセル２２・２２・・・の大きさは、標準規格のセル成型育苗トレイのセルの大きさに準じたものとしている。
但し、植栽マット２０に形成するセル２２・２２・・・の大きさは、標準規格のセル成型育苗トレイに限定するものではなく、該植栽マット２０に植栽される緑化植物Ｐに応じて多少の変更を加えることができる。
【００４３】
そして、前記植栽マット２０の各セル２２に対し、前記第一実施例と同様に、播種機３０を用いて緑化植物Ｐの種子を植え、育苗箱等を用いて、適当な大きさになるまで栽培したうえで、緑化する構造物まで植栽マット２０を搬送し、緑化対象面１９の緑化のために供する。
【００４４】
例えば、図６に示す如く、植栽基盤Ｆとしての植栽マット２０を複数の連結し、構造物の屋上の所定範囲に敷設することによって、緑化を行うことができる。
また、図１２及び図１３に示す如く、構造物の外壁等の勾配を有する緑化対象面１９に取り付けた取付部材２３にて緑化対象面１９に植栽基盤Ｆとしての植栽マット２０を張設した状態に取り付けることができる。
【００４５】
前記取付部材２３は、緑化対象面１９に固定された枠体であり、断面視コ字、または、Ｈ状に構成して、凹部の幅を植栽マット２０の高さに合わせて構成し、対向する凹部に植栽マット２０の左右縁及び下縁を支持するとともに、該植栽マット２０の面方向への移動を規制するものである。取付部材２３の上方より、該取付部材２３に植栽マット２０を挿入することができ、また、植栽マット２０が取付部材２３に収容されたときに該植栽マット２０に植栽された緑化植物Ｐを露出させることができる。
この取付部材２３により緑化対象面１９に張設した状態に取り付けられた植栽マット２０は、該取付部材２３からの脱着が容易であり、不具合の生じた植栽マット２０を容易に交換することができる。
【００４６】
【発明の効果】
本発明は、以上のように構成したので、以下に示すような効果を奏する。
【００４７】
即ち、請求項１に示す如く、緑化対象面に配設することによって緑化するための緑化植物植栽基盤であって、該植栽基盤を、セル成型育苗トレイに合わせた大きさの外枠と、セル成型育苗トレイと同配列の緑化植物を植栽するためのセルとを、一体的に形成して構成したので、
セル成型育苗トレイを利用することのできる播種機等の農業機械や農業設備を利用して、植栽基盤での緑化植物の栽培を行うことができる。
【００４８】
請求項２に示す如く、緑化対象面に配設することによって緑化するための緑化植物植栽基盤であって、該植栽基盤を、セル成型育苗トレイに合わせた大きさのマット状に構成し、該植栽基盤にセル成型育苗トレイのセル位置に合わせた凹部を構成したので、
セル成型育苗トレイを利用することのできる播種機等の農業機械や農業設備を利用して、植栽基盤での緑化植物の栽培を行うことができる。
【００４９】
請求項３に示す如く、前記植栽基盤を、緑化対象面に固定された取付部材と、該取付部材と締結可能な固定部材との間に介挿して緑化対象面に固定可能としたので、
簡易な作業にて植栽基盤を緑化対象面に配設することができる。また、植栽基盤の緑化対象面への脱着が容易である。
【００５０】
請求項４に示す如く、緑化植物植栽基盤を緑化対象面に配設することによって緑化対象面を緑化する緑化方法であって、前記植栽基盤に播種機を用いて緑化植物の種子を播種し、緑化植物が適当な大きさに生長するまで栽培したのち緑化対象面の存在する現場まで搬送し、緑化対象面に植栽基盤を配設したので、
植栽基盤での緑化植物の栽培を機械化することによって、作業性が向上し、また、大量生産が可能となり植栽基盤の汎用性を高めることができる。
【図面の簡単な説明】
【図１】植栽基盤としての植栽シートの側面図。
【図２】植栽基盤としての植栽シートの平面図。
【図３】植栽基盤としての植栽シートの一部を示す下方斜視図。
【図４】育苗箱に嵌入した植栽シートを示す側面図。
【図５】播種機での播種の様子を示す図。
【図６】屋上に敷設した植栽基盤の様子を示す図。
【図７】プランタに移植した植栽基盤の様子を示す図。
【図８】壁面に張設した植栽基盤の様子を示す正面図。
【図９】壁面に張設した植栽基盤の様子を示す側面図。
【図１０】植栽基盤としての植栽マットの側面図。
【図１１】植栽基盤としての植栽マットの一部を示す上方斜視図。
【図１２】壁面に張設した植栽基盤の様子を示す正面図。
【図１３】壁面に張設した植栽基盤の様子を示す平面図。
【符号の説明】
Ｆ  植栽基盤
Ｐ  緑化植物
１０  植栽シート（植栽基盤）
１１  シート
１２  セル
１５  ブラケット
１６  ステー（取付部材）
１７  押圧プレート（固定部材）
２０  植栽マット（植栽基盤）
２１  マット
２２  セル
３０  播種機
【図１】
2004350536.tif 000004
【図２】
2004350536.tif 000005
【図３】
2004350536.tif 000006
【図４】
2004350536.tif 000007
【図５】
2004350536.tif 000008
【図６】
2004350536.tif 000009
【図７】
2004350536.tif 000010
【図８】
2004350536.tif 000011
【図９】
2004350536.tif 000012
【図１０】
2004350536.tif 000013
【図１１】
2004350536.tif 000014
【図１２】
2004350536.tif 000015
【図１３】
2004350536.tif 000016